(57)【特許請求の範囲】
【請求項１】
複数の画素が設けられた表示パネルと、
前記表示パネルに第１の導光板が対向するように配置され、前記表示パネルの法線方向に光量のピークを有する光を前記表示パネルに向けて照射する第１の面光源と、
前記表示パネルに第２の導光板が対向するように配置され、前記表示パネルの法線方向から所定の角度傾いた方向に光量のピークを有する光を前記表示パネルの配置方向とは異なる側に向けて照射する第２の面光源と、
を備え、
広視野表示のときに前記第１の面光源を点灯するとともに前記第２の面光源を消灯し、
前記広視野表示よりも視野範囲を制限する狭視野表示のときに前記第１の面光源と前記第２の面光源とを点灯することを特徴とする表示装置。
【請求項２】
前記第２の面光源が照射する光は、前記表示パネルの法線方向を中心として互いに対称な２方向に光量のピークを有することを特徴とする請求項１に記載の表示装置。
【請求項３】
前記第１の面光源は、前記第１の導光板と前記表示パネルとの間に配置されたプリズムシートを有していることを特徴とする請求項１または２に記載の表示装置。
【請求項４】
前記第２の面光源が照射する光は、前記表示パネルに平行な平面において左右対称な光量分布を有することを特徴とする請求項１から３の何れかに記載の表示装置。
【請求項５】
前記第２の面光源が照射する光は着色光であることを特徴とする請求項１から４の何れかに記載の表示装置。
【発明の詳細な説明】
【技術分野】
【０００１】
この発明は、広視野表示と狭視野表示とを行なうことができる表示装置に関する。
【背景技術】
【０００２】
例えば携帯電話機等の電子機器に実装される表示装置には、その表示の視野を、広視野と、表示装置の使用者以外の他者により表示を覗き見されないような狭視野とに切換えることができる視野可変性が要求されている。
【０００３】
視野可変型の表示装置としては、従来、画像を表示する表示パネルの観察側またはその反対側に、一対の基板間に液晶を封入し、その液晶分子を、前記表示パネルの画面に対応する領域を複数に区分した各区分領域毎に、前記表示パネルの法線方向に対して一方の方向に傾いた方向に視野を有する配向状態と、その方向とは反対方向に傾いた方向に視野を有する配向状態とに配向させ、前記一対の基板の互いに対向する内面それぞれに、前記各区分領域に対応させて、予め定めた形状の電極を設けた構造の視野制限用液晶素子を配置したものが提案されている（特許文献１参照）。
【０００４】
この表示装置は、前記視野制限用液晶素子の電極間への電圧の印加により、斜め方向からの視認性を低下させて前記表示パネルの表示画像の視野を制限するものであり、前記視野制限用液晶素子の電極間に電圧を印加しないとき、つまり視野制限用液晶素子が無表示状態のときは、前記表示パネルの表示画像が広い視野で見える。
【０００５】
それに対し、前記視野制限用液晶素子の電極間に電圧を印加すると、前記表示パネルの法線方向に対して一方の方向およびその反対方向に傾いた方向から見たときに、前記表示パネルの表示画像が、前記視野制限用液晶素子の一方の方向に傾いた方向に視野を有する各区分領域の表示および反対方向に傾いた方向に視野を有する各区分領域の前記予め定めた形状の電極に対応する表示により隠されるため、前記一方の方向および反対方向に傾いた方向からは前記表示パネルの表示画像を認識することができなくなり、前記表示画像の視野が、見かけ上、前記法線付近の狭い角度範囲に制限される。
【特許文献１】特開２０００−１３３３３４号公報
【発明の開示】
【発明が解決しようとする課題】
【０００６】
しかし、上記従来の表示装置は、表示パネルと視野制限用液晶素子とを重ねて配置するため、表示素子としての透過率が低下し、表示が暗くなる。
【０００７】
また、表示パネルの画面に対応する領域を複数に区分した各区分領域毎に液晶分子を異なる配向状態に配向させた視野制限用液晶素子は、その一対の基板の内面にそれぞれ、前記各区分領域毎に方向を異ならせた複雑な配向処理（配向膜のラビング処理）を施さなければならないため、製造が難しい。
【０００８】
そのため、この視野制限用液晶素子を備えた従来の表示装置は、コスト高であるという問題をもっている。
【０００９】
この発明は、単純な構造によって明るい広視野表示と狭視野表示とを行なうことができる表示装置を提供することを目的としたものである。
【課題を解決するための手段】
【００１０】
請求項１に記載の発明は、複数の画素が設けられた表示パネルと、前記表示パネルに第１の導光板が対向するように配置され、前記表示パネルの法線方向に光量のピークを有する光を前記表示パネルに向けて照射する第１の面光源と、前記表示パネルに第２の導光板が対向するように配置され、前記表示パネルの法線方向から所定の角度傾いた方向に光量のピークを有する光を前記表示パネルの配置方向とは異なる側に向けて照射する第２の面光源と、を備え、広視野表示のときに前記第１の面光源を点灯するとともに前記第２の面光源を消灯し、前記広視野表示よりも視野範囲を制限する狭視野表示のときに前記第１の面光源と前記第２の面光源とを点灯することを特徴とする。
【００１１】
また、請求項２に記載の発明は、請求項１に記載の表示装置において、前記第２の面光源が照射する光は、前記表示パネルの法線方向を中心として互いに対称な２方向に光量のピークを有することを特徴とする。
【００１２】
また、請求項３に記載の発明は、請求項１または２に記載の表示装置において、前記第１の面光源は、前記第１の導光板と前記表示パネルとの間に配置されたプリズムシートを有していることを特徴とする。
【００１３】
また、請求項４に記載の発明は、請求項１から３の何れかに記載の表示装置において、前記第２の面光源が照射する光は、前記表示パネルに平行な平面において左右対称な光量分布を有することを特徴とする。
【００１４】
また、請求項５に記載の発明は、請求項１から４の何れかに記載の表示装置において、前記第２の面光源が照射する光は着色光であることを特徴とする。
【発明の効果】
【００１５】
この発明によれば、単純な構造によって明るい広視野表示と狭視野表示とを行なうことができる。
【発明を実施するための最良の形態】
【００２３】
図１はこの発明の一実施例を示す表示装置の斜視図、図２は前記表示装置を図１の下方向から見た図であり、（ａ）は広視野表示のときの出射光を示し、（ｂ）は狭視野表示のときの出射光を示している。
【００２４】
この実施例の表示装置は、画像を表示する表示パネルとして、光の透過を制御する複数の画素をマトリックス状に配列した画面領域１ａを有する液晶表示パネル１を備えたものであり、図１および図２のように、前記液晶表示パネル１と、前記液晶表示パネル１の観察側とは反対側に配置された面光源８と、前記液晶表示パネル１の観察側に配置された視野制限手段１９とからなっている。
【００２５】
前記液晶表示パネル１は、その内部構造は図示しないが、前記画面領域１ａを囲む枠状のシール材４を介して接合された一対の透明基板２，３と、これらの基板２，３の対向する内面それぞれに設けられ、互いに対向する領域によりマトリックス状に配列する複数の画素を形成する透明電極と、前記一対の基板２，３間の前記シール材４で囲まれた領域に封入された液晶層と、前記一対の基板２，３の外面にそれぞれ配置された一対の偏光板５，６とからなっている。
【００２６】
この液晶表示パネル１は、一方の基板２の内面に、複数の画素電極を行方向および列方向にマトリックス状に配列させて設け、他方の基板３の内面に、前記複数の画素電極の配列領域に対向する一枚膜状の対向電極を設けたアクティブマトリックス液晶表示パネルであり、前記一方の基板２の内面には、前記複数の画素電極にそれぞれ接続されたＴＦＴからなるアクティブ素子と、各行のＴＦＴにそれぞれ接続された複数本のゲート配線と、各列のＴＦＴにそれぞれ接続された複数本のデータ配線が設けられている。
【００２７】
なお、前記一方の基板２は、他方の基板３の外方に張出すドライバ搭載部２ａを有しており、前記複数本のゲート配線およびデータ配線は、前記ドライバ搭載部２ａに導出され、このドライバ搭載部２ａに搭載されたＬＳＩからなる表示ドライバ７に接続されている。
【００２８】
また、前記一対の基板２，３の内面には、前記電極を覆って配向膜が設けられており、前記液晶層の液晶分子は、前記一対の基板２，３間において、前記配向膜により規定される配向状態に配向している。
【００２９】
この液晶表示パネル１は、液晶分子をツイスト配向させたＴＮまたはＳＴＮ型、液晶分子を基板２，３面に対して実質的に垂直に配向させた垂直配向型、液晶分子をツイストさせることなく基板２，３面に対して実質的に平行に配向させた水平配向型、液晶分子をベンド配向させるベンド配向型のいずれかの液晶表示パネル、あるいは強誘電性または反強誘電性液晶表示パネルであり、前記一対の偏光板５，６は、それぞれの透過軸の向きを、良好なコントラスト特性が得られるように設定して配置されている。
【００３０】
なお、この液晶表示パネル１は、一対の基板２，３の内面それぞれに設けられた電極間に縦電界（液晶層の厚さ方向の電界）を生じさせて液晶分子の配向状態を変化させる縦電界制御型のものに限らず、一対の基板２，３のいずれか一方の内面に複数の画素を形成する例えば櫛状の第１と第２の電極を設け、これらの電極間に横電界（基板面に沿う方向の電界）を生じさせて液晶分子の配向状態を変化させる横電界制御型のものでもよい。
【００３１】
さらに、前記液晶表示パネル１は、ノーマリーホワイトモードの表示素子でも、ノーマリーブラックモードの表示素子でもよい。
【００３２】
図３は前記液晶表示パネル１の観察側とは反対側に配置された面光源８の一部分の拡大側面図であり、この面光源８は、透明なアクリル樹脂板等からなり、その対向する２つの端面の一方に、光を入射させる入射端面１０が形成され、２つの板面の一方に、前記入射端面１０から入射した光の出射面１１が形成され、他方の板面に、前記入射端面１０から入射した光を前記出射面１１に向けて反射する反射面１２が形成された導光板９と、前記導光板９の入射端面１０に対向させて配置され、その入射端面１０に向けて光を発する発光素子１５と、前記導光板９の出射面側に配置され、前記導光板９の出射面１１から出射した光の広がり角を調整する光学手段１６とにより構成されている。
【００３３】
前記導光板９の出射面１１は平坦面に形成されており、反射面１２には、前記入射端面１０から入射した光を前記出射面１１に向けて拡散反射する複数の拡散反射部１３が、前記入射端面１０から入射した光の進行方向に間隔をおいて、前記液晶表示パネル１の画素ピッチと同程度またはそれよりも小さいピッチで形成されている。
【００３４】
前記拡散反射部１３は、前記導光板９の入射端面１０の長さ方向と平行な方向に沿わせて前記導光板９の板幅の全長に形成された、矩形状の断面形状を有する細溝からなっており、前記反射面１２の各拡散反射部１３の間の部分は、前記出射面１１と実質的に平行な平坦面に形成されている。
【００３５】
前記導光板９の反射面１２およびその複数の拡散反射部１３は、前記入射端面１０から入射した光を、外気との界面で全反射する内面反射面であり、この反射面１２の外側には、前記反射面１２および拡散反射部１３からの漏れ光を導光板９に再入射させるための反射板１４が配置されている。
【００３６】
そして、前記導光板９は、その入射端面１０を前記液晶表示パネル１の一側縁、例えば画面の上下方向の一方の縁部（図では画面の上方向の縁部）に対応させ、前記出射面１１を前記液晶表示パネル１に対向させて配置されている。
【００３７】
また、前記発光素子１５は、ＬＥＤ（発光ダイオード）等の固体発光素子であり、前記導光板９の入射端面１０に対向させて、前記入射端面１０の長さ方向に間隔をおいて複数個配置されている。
【００３８】
さらに、前記導光板９の出射面側に配置された光学手段１６は、透明樹脂フィルムの一方の面に、二等辺三角形状の断面形状を有する複数の細長プリズム部１７ａ，１８ａを形成した第１と第２のプリズムシート１７，１８からなっている。なお、これらのプリズムシート１７，１８の複数の細長プリズム部１７ａ，１８ａは、前記導光板９の反射面１２の複数の拡散反射部１３のピッチよりも小さいピッチで形成されている。
【００３９】
前記第１のプリズムシート１７は、前記導光板９の出射側に、前記細長プリズム部１７ａの形成面またはその反対側の平坦面を前記導光板９の出射面１１に対向させるとともに、その複数の細長プリズム部１７ａの長さ方向を、前記導光板９の出射面１１に沿った互いに直交する２つの方向の一方、例えば前記液晶表示パネル１の画面の左右方向と平行な方向と実質的に平行にして配置され、前記第２のプリズムシート１８は、前記第１のプリズムシート１７の一方の面側、例えば前記第１のプリズムシート１７の出射側（導光板９に対向する側とは反対側）に、前記細長プリズム部１８ａの形成面またはその反対側の平坦面を前記第１のプリズムシート１７の出射面に対向させて配置されている。
【００４０】
前記面光源８は、前記複数の発光素子１５を点灯駆動することによって、前記液晶表示パネル１に向けて、前記液晶表示パネル１の法線方向に対して予め定めた広い範囲の広がり角をもった照明光を照射する。
【００４１】
すなわち、前記複数の発光素子１５からの光は、図３に矢線で示したように、前記導光板９にその入射端面１０から入射し、この導光板９の出射面１１および反射面１２の複数の拡散反射部１３の間の平坦面により内面反射されて導光板９内を導かれる過程で、前記反射面１２の複数の拡散反射部１３により拡散反射され、前記出射面１１から大きい広がり角で出射する。
【００４２】
そして、前記導光板９の出射面１１から出射した拡散光は、前記第１のプリズムシート１７の複数の細長プリズム部１７ａにより、これらの細長プリズム部１７ａの長さ方向と直交する方向、つまり前記液晶表示パネル１の画面の上下方向と平行な方向に拡散された光が集光され、さらに、前記第２のプリズムシート１８の複数の細長プリズム部１８ａにより、これらの細長プリズム部１８ａの長さ方向と直交する方向、つまり前記液晶表示パネル１の画面の左右方向と平行な方向に拡散した光が集光され、前記第２のプリズムシート１８から前記液晶表示パネル１に向かって出射する。
【００４３】
したがって、前記面光源８から前記液晶表示パネル１に向けて照射される照明光は、前記液晶表示パネル１の法線方向を中心にして比較的広い広がり角度をもった光である。
【００４４】
図４は前記面光源８からの照明光の左右方向（液晶表示パネル１の画面の左右方向）における強度分布を示しており、図において、負の角度は、前記液晶表示パネル１の法線方向（０°の方向）に対して左方向の傾き角、正の角度は、前記法線方向に対して右方向の傾き角の下方向の傾き角である。
【００４５】
なお、前記面光源８は、前記導光板９の出射面１１から広がり角の大きい拡散光を出射させ、その拡散光を前記第１と第２のプリズムシート１７，１８からなる光学手段１６により集光して前記液晶表示パネル１に向けて照射するため、前記照明光の液晶表示パネル１の画面の上下方向と平行な方向における強度分布も図４と実質的に同じである。
【００４６】
この表示装置は、前記液晶表示パネル１の観察側とは反対側に、前記液晶表示パネル１の法線方向を中心にして広い広がり角をもった照明光を照射する面光源８を配置しているため、前記液晶表示パネル１に、視野が広く、しかも、前記液晶表示パネル１の法線方向から見た輝度およびコントラストが充分に高い画像を表示させることができる。
【００４７】
なお、この表示装置は、前記液晶表示パネル１の一対の基板２，３のいずれか一方の内面に複数の画素にそれぞれ対応する赤、緑、青の３色のカラーフィルタを設けたカラー画像表示装置でも、前記液晶表示パネル１にカラーフィルタを設けずにカラー画像を表示するフィールドシーケンシャル表示装置でもよく、フィールドシーケンシャル表示装置の場合は、前記面光源８の複数の発光素子１５を、赤色ＬＥＤと緑色ＬＥＤと青色ＬＥＤとを備えた固体発光素子とし、これらの発光素子１５から赤、緑、青の３色の光を選択的に出射させるようにすればよい。
【００４８】
また、この実施例の面光源８は、一方の端面に入射端面１０を形成した導光板９を備えたものであるが、前記導光板９の対向する２つの端面の両方に入射端面１０を形成し、これらの入射端面１０にそれぞれ対向させて発光素子１５を配置してもよい。
【００４９】
図５は前記液晶表示パネル１の観察側に配置された視野制限手段１９の一部分の拡大図であり、（ａ）は側面図、（ｂ）は観察側から見た正面図である。
【００５０】
この視野制限手段１９は、前記液晶表示パネル１の法線方向に対して一方の方向とその反対方向とにそれぞれ予め定めた角度傾いた方向に光強度のピークをもった指向性を有する光を出射する光照射装置であり、対向する２つの板面と、この２つの板面と交差する互いに対向する２つの端面と、これらの２つの板面および２つの端面と交差する他の互いに対向する２つの側端面とを有する透明板からなり、前記２つの端面の少なくとも一方に光を入射させる入射端面２１が、前記２つの板面の一方に光を出射させる出射面２２が、他方の板面に前記入射端面２１からその法線に対して一方および他方の側端面の方向に傾いた方向に入射した光を前記出射面２２に向けて、前記入射端面２１と前記出射面２２それぞれの法線を含む面に対して一方向および他方向に傾いた方向に内面反射させる反射面２３がそれぞれ形成され、前記反射面２３を前記液晶表示パネル１の観察側の面に対向させて配置された導光部材２０と、前記導光部材２０の入射端面２１に対向させて配置され、前記導光部材２０の入射端面２１に向けて、前記導光部材２０の前記入射端面２１の法線の方向に対して前記導光部材２０の一方の側端面方向に傾いた方向に向かう光と他方の側端面方向に傾いた方向に向かう光とを出射する光源部２５とにより構成されている。
【００５１】
前記導光部材２０の出射面２２は平坦面に形成されており、反射面２３には、前記入射端面２１から入射した光を前記出射面２２に向けて反射する複数の反射部２４が、前記入射端面２１から入射した光の進行方向に間隔をおいて、前記液晶表示パネル１の画素ピッチと同程度またはそれよりも小さいピッチで形成されている。
【００５２】
前記反射部２４は、例えば、前記導光部材２０の入射端面２１の長さ方向と平行な方向に沿わせて前記導光部材２０の板幅の全長に形成された、前記出射面２２の法線に対して、前記入射端面２１側とは反対方向に傾いた細幅の傾斜面からなっており、この反射部２４の前記法線に対する傾き角は、前記入射端面２１からその法線を含む面と平行な方向の光を入射させたときに、その光を前記出射面２２の法線付近の方向に向けて内面反射する角度に設定されている。
【００５３】
また、前記反射面２３の各反射部２４の間の部分は、前記反射部２４の前記出射面２２側の上縁と、隣接する反射部２４の前記出射面２２とは反対側の下縁とを通る傾斜面に形成されている。
【００５４】
そして、前記導光部材２０は、前記液晶表示パネル１の観察側に、前記入射端面２１を、前記液晶表示パネル１の一側縁、例えば画面の上下方向の一方の縁部（図では画面の上方向の縁部）に対応させ、前記反射面２３を前記液晶表示パネル１の観察側の面に対向させて配置されている。
【００５５】
また、前記導光部材２０の入射端面２１に対向させて配置された光源部２５は、前記導光部材２０の入射端面２１に向けて、その法線Ｙに対して前記導光部材２０の一方の側端面方向に傾いた方向に向かう光と他方の側端面方向に傾いた方向に向かう光とを出射する。
【００５６】
この光源部２５は、前記導光部材２０の入射端面２１に対向させて配置され、前記導光部材２０の入射端面２１に向けて光を発する発光体２６と、前記導光部材２０の入射端面２１と前記発光体２６との間に配置され、前記発光体２６からの光を、前記導光部材２０の入射端面２１の法線Ｙに対して前記導光部材の一方の側端面の方向に傾いた方向と他方の側端面の方向に傾いた方向とに屈折させて前記導光部材２０に前記入射端面２１から入射させるプリズムアレイ２７とからなっている。
【００５７】
前記発光体２６は、複数の固体発光素子（例えばＬＥＤ）を直線状に並べた発光素子アレイからなっており、前記導光部材２０の入射端面２１に対向させて、前記入射端面２１の長さ方向と平行に配置されている。
【００５８】
また、前記プリズムアレイ２７は、前記導光部材２０の入射端面２１に対応する細長形状の透明樹脂フィルムの一方の面に、その長さ方向に並べて複数のプリズム部２７ａを予め定めたピッチ、例えば前記液晶表示パネル１の画素ピッチと同程度またはそれよりも小さいピッチで形成したものであり、これらのプリズム部２７ａは、前記樹脂フィルムの長さ方向と直交する方向に沿わせて、二等辺三角形状の断面形状に形成されている。
【００５９】
そして、このプリズムアレイ２７は、前記導光部材２０の入射端面２１と前記発光体２６との間に、前記プリズム部２７ａの形成面またはその反対側の平坦面を前記発光体２６に対向させて配置されている。
【００６０】
この視野制限手段１９は、前記液晶表示パネル１から出射した画像光（面光源８から照射され、液晶表示パネル１の複数の画素を透過した光）Ａを透過させ、且つ、前記観察側に向けて、前記液晶表示パネル１の法線方向に対して傾いた方向に指向性を有する光（以下、視野制限光という）Ｂを選択的に出射する。
【００６１】
なお、この表示装置は、携帯電話機等の電子機器の表示部に実装されるものであり、前記視野制限手段１９は、例えば前記電子機器に設けられた視野選択キー等による広視野と狭視野の選択に応じて、狭視野が選択されたときに前記発光体２６を点灯駆動され、前記観察側に向けて前記視野制限光Ｂを出射する。
【００６２】
すなわち、前記視野制限手段１９は、対向する２つの板面と、この２つの板面と交差する互いに対向する２つの端面と、これらの２つの板面および２つの端面と交差する他の互いに対向する２つの側端面とを有する透明板からなり、前記２つの端面の少なくとも一方に光を入射させる入射端面２１が、前記２つの板面の一方に光を出射させる出射面２２が、他方の板面に前記入射端面２１からその法線に対して一方および他方の側端面の方向に傾いた方向に入射した光を前記出射面２２に向けて、前記入射端面２１と前記出射面２２それぞれの法線を含む面に対して一方向および他方向に傾いた方向に内面反射させる反射面２３がそれぞれ形成された導光部材２０を備え、この導光部材２０を、前記液晶表示パネル１の観察側に、前記反射面２３を前記液晶表示パネル１の観察側の面に対向させて配置しているため、図５（ａ）に示したように、前記液晶表示パネル１から出射した画像光Ａを、前記導光部材２０を透過させて観察側に出射させることができる。
【００６３】
そして、この視野制限手段１９は、前記導光部材２０の入射端面２１に対向させて、前記導光部材２０の入射端面２１に向けて前記導光部材２０の前記入射端面２１の法線の方向に対して前記導光部材２０の一方の側端面方向に傾いた方向に向かう光と他方の側端面方向に傾いた方向に向かう光とを出射する光源部２５を配置したものであるため、前記液晶表示パネル１に向けて、その法線方向に対して一方の方向とその反対方向とにそれぞれ予め定めた角度傾いた方向に光強度のピークをもった指向性を有する光を出射することができる。
【００６４】
さらに、この視野制限手段１９は、前記導光部材２０の入射端面２１に対向させて、前記発光体２６とプリズムアレイ２７とからなる光源部２５を配置しているため、前記発光体２６からの光を、図５に破矢線で示したように、前記プリズムアレイ２７の複数のプリズム部２７ａにより、前記導光部材２０の入射端面２１の法線Ｙに対して前記導光部材２０の一方の側端面の方向に傾いた方向と他方の側端面の方向に傾いた方向とに屈折させて前記導光部材２０に前記入射端面２１から入射させることができる。
【００６５】
前記導光部材２０に前記入射端面２１から入射した光は、前記導光部材２０の出射面２２および反射面２３との間の傾斜面により内面反射されて導光部材２０内を導かれる過程で、前記反射面２３の複数の反射部２４により、前記出射面２２に向けて、前記出射面２２法線に対して前記導光部材２０の一方の側端面の方向に傾いた方向と他方の側端面の方向に傾いた方向とに、前記入射端面２１からのその法線Ｙに対する入射角に応じた角度傾いた方向に内面反射される。
【００６６】
そのため、前記導光部材２０の入射端面２１からその法線Ｙに対して前記導光部材２０の一方の側端面の方向に傾いた方向に向かって入射した光を、前記導光部材２０の出射面２２から、前記出射面２２の法線、つまり前記液晶表示パネル１の法線方向に対して前記導光部材２０の一方の側端面の方向に傾いた方向に向けて観察側に出射し、前記入射端面２１からその法線Ｙに対して前記導光部材２０の他方の側端面の方向に傾いた方向に向かって入射した光を、前記導光部材２０の出射面２２から、前記液晶表示パネル１の法線方向に対して前記導光部材２０の他方の側端面の方向に傾いた方向に向けて観察側に出射させることができる。
【００６７】
そして、この実施例では、前記視野制限手段１９の導光部材２０を、その入射端面２１を前記液晶表示パネル１の画面の上下方向の一方の縁部に対応させて配置しているため、前記導光部材２０の出射面２２から、前記液晶表示パネル１の法線方向に対して前記画面の左方向に傾いた方向に指向性を有する視野制限光Ｂと、前記画面の右方向に傾いた方向に指向性を有する視野制限光Ｂとを出射することができる。
【００６８】
図６は前記視野制限手段１９からの視野制限光Ｂの左右方向（液晶表示パネル１の画面の左右方向）における強度分布を示しており、図において、負の角度は、前記液晶表示パネル１の法線方向（０°の方向）に対して左方向の傾き角、正の角度は、前記法線方向に対して右方向の傾き角の下方向の傾き角である。
【００６９】
この強度分布図のように、前記視野制限手段１９は、前記液晶表示パネル１の法線方向に対して一方の方向（画面の左方向）とその反対方向（画面の右方向）とにそれぞれ予め定めた角度傾いた方向に光強度のピークをもった指向性を有する視野制限光Ｂを出射する。
【００７０】
なお、この実施例の視野制限手段１９は、一方の端面に入射端面２１を形成した導光部材２０を備えたものであるが、前記導光部材２０の対向する２つの端面の両方に入射端面２１を形成し、これらの入射端面２１にそれぞれ対向させて前記光源部２５を配置してもよく、その場合は、前記導光部材２０の反射面２３を、一方の入射端面からの入射光を出射面２２に向けて内面反射する複数の反射部と、一方の入射端面からの入射光を出射面２２に向けて内面反射する複数の反射部とを有する形状に形成すればよい。
【００７１】
この表示装置は、前記液晶表示パネル１の観察側に、前記液晶表示パネル１から出射した画像光Ａを透過させ、且つ、前記観察側に向けて、前記液晶表示パネル１の法線方向に対して傾いた方向に指向性を有する光を選択的に出射する視野制限手段１９を配置したものであるため、前記視野制限手段１９からの視野制限光Ｂの出射を制御することにより、広視野表示と狭視野表示とを行なうことができる。
【００７２】
すなわち、この表示装置は、前記液晶表示パネル１の観察側に配置された前記視野制限手段１９からの視野制限光Ｂの出射を制御して広視野表示と狭視野表示とを行なうものであり、前記視野制限手段１９から視野制限光Ｂを出射させないときは、図２（ａ）のように、前記液晶表示パネル１から出射した画像光Ａだけが前記視野制限手段１９を透過して観察側に出射するため、前記液晶表示パネル１の表示画像が、前記面光源８からの照明光Ａの広がり角に対応した広い視野で見える。
【００７３】
それに対し、図２（ｂ）のように、前記視野制限手段１９から、前記観察側に向けて、前記液晶表示パネル１の法線方向に対して傾いた方向に指向性を有する視野制限光Ｂを出射させると、前記液晶表示パネル１の法線方向に対して傾いた方向には、光強度の強い視野制限光Ｂ出射されているため、その傾いた方向から観察される表示画像のコントラストが著しく低下して、前記法線方向に対して傾いた方向からは前記表示画像を認識することができなくなり、前記表示画像の視野が、前記液晶表示パネル１の法線付近の狭い角度範囲になる。
【００７４】
なお、前記視野制限手段１９から出射させる視野制限光Ｂは、白色光でも、任意の色の着色光でもよく、前記視野制限手段１９から白色の視野制限光Ｂを出射させることにより、前記液晶表示パネル１の法線方向に対して傾いた方向から見たときに画面全体を白くして狭視野表示を行ない、或いは前記視野制限手段１９から例えば青色の視野制限光Ｂを出射させることにより、前記液晶表示パネル１の法線方向に対して傾いた方向から見たときに画面全体を青くさせて狭視野表示を行なうことができる。
【００７５】
しかも、前記視野制限手段１９は、前記液晶表示パネルから出射した画像光Ａを透過させ、且つ、前記観察側に向けて、前記液晶表示パネル１の法線方向に対して傾いた方向に指向性を有する視野制限光Ｂを選択的に出射するものであるため、従来の斜め方向に出射する光を遮断することによって視野の範囲を制限するものに比べて、表示装置の正面近傍の視野の範囲における表示を明るく保つことができ、また視野制限手段の構造を単純にすることができる。
【００７６】
また、この表示装置は、前記視野制限手段１９から、前記液晶表示パネル１の法線方向に対して一方の方向（画面の左方向）とその反対方向（画面の右方向）とにそれぞれ予め定めた角度傾いた方向に光強度のピークをもった指向性を有する視野制限光Ｂを出射させるようにしているため、前記一方の方向および反対方向に傾いた方向からは前記液晶表示パネル１の表示画像を認識することができない狭視野表示を行なうことができる。
【００７７】
また、この表示装置は、前記視野制限手段１９を、板状の透明部材からなり、その対向する２つの端面の少なくとも一方に光を入射させる入射端面２１が形成され、２つの板面の一方に光を出射させる出射面２２が形成され、他方の板面に前記入射端面２１から入射した光を前記出射面２２に向けて内面反射する反射面２３が形成され、前記反射面２３を前記液晶表示パネル１の観察側の面に対向させて配置され、前記液晶表示パネル１から出射した画像光Ａを透過させ、前記入射端面２１から入射した光を前記出射面２２から出射する導光部材２０と、前記導光部材２０の入射端面２１に対向させて配置され、前記導光部材２０の入射端面２１に向けて、前記導光部材２０の出射面２２と平行で且つ前記入射端面２１と直交する軸線方向Ｙに対して前記導光部材２０の一方の側縁方向に傾いた方向に向かう光と他方の側縁方向に傾いた方向に向かう光とを出射する光源部２５とにより構成しているため、前記視野制限手段１９から、前記液晶表示パネル１の法線方向に対して一方の方向とその反対方向とにそれぞれ予め定めた角度傾いた方向に光強度のピークをもった指向性を有する視野制限光Ｂを出射させることができる。
【００７８】
さらに、この表示装置は、前記視野制限手段１９の光源部２５を、前記導光部材２０の入射端面２１に対向させて配置され、前記導光部材２０の入射端面２１に向けて光を発する発光体２６と、前記導光部材２０の入射端面２１と前記発光体２６との間に配置され、前記発光体２６からの光を、前記導光部材２０の軸線方向Ｙに対して前記導光部材２０の一方の側縁方向に傾いた方向と他方の側縁方向に傾いた方向とに屈折させて前記導光部材２０に前記入射端面２１から入射させるプリズムアレイ２７とにより構成しているため、前記視野制限手段１９の製造をさらに容易にすることができる。
【００７９】
また、前記表示装置は、画像を表示する表示パネルを、光の透過を制御する複数の画素をマトリックス状に配列した画面領域１ａを有する液晶表示パネル１とし、その液晶表示パネル１の観察側とは反対側に、前記液晶表示パネル１に向けて、前記液晶表示パネル１の法線方向に光強度のピークをもった強度分布の照明光を照射する面光源８を配置しているため、前記法線方向から見た表示画像の輝度およびコントラストが充分に高い広視野表示と狭視野表示を行なうことができる。
【００８０】
なお、上記実施例では、前記視野制限手段１９の光源部２５を、前記発光体２６とプリズムアレイ２７とにより構成しているが、前記光源部２５は、前記導光部材２０の入射端面２１に向けて、前記導光部材２０の出射面２２と平行で且つ前記入射端面２１と直交する軸線方向Ｙに対して前記導光部材２０の一方の側縁方向に傾いた方向に向かう光と他方の側縁方向に傾いた方向に向かう光とを出射するものであれば、他の構成のものでもよい。
【００８１】
また、上記実施例の表示装置は、液晶表示パネル１を備えたものであるが、画像を表示する表示パネルは、例えばＥＬ（エレクトロルミネッセンス）表示パネル等の発光型表示パネルでもよく、この発光型表示パネルを用いることにより、前記面光源８を省略し、さらにコストを低減することができる。
【図面の簡単な説明】
【００８２】
【図１】この発明の一実施例を示す表示装置の斜視図。
【図２】前記表示装置を図１の下方向から見た、広視野表示のときの出射光と狭視野表示のときの出射光を示す図。
【図３】前記表示装置の面光源の一部分の拡大側面図。
【図４】前記面光源からの照明光の強度分布図。
【図５】前記表示装置の視野制限手段の一部分の拡大側面図および正面図。
【図６】前記視野制限手段からの視野制限光の強度分布図。
【符号の説明】
【００８３】
１…液晶表示パネル、１ａ…画面領域、８…面光源、９…導光板、１０…入射端面、１１…出射面、１２…反射面、１３…拡散反射部、１４…反射板、１５…発光素子、１６…光学手段、１７，１８…プリズムシート、１９…視野制限手段、２０…導光部材、２１…入射端面、２２…出射面、２３…反射面、２４…反射部、２５…光源部、２６…発光体、２７…プリズムアレイ、Ａ…画像光、Ｂ…視野制限光。
【図１】
0004525612.tif 000002
【図２】
0004525612.tif 000003
【図３】
0004525612.tif 000004
【図４】
0004525612.tif 000005
【図５】
0004525612.tif 000006
【図６】
0004525612.tif 000007